(57)【要約】【課題】人為力のみの付与により手袋の着脱を実行でき、しかも構造簡易で騒音も大幅に減少させ得る手袋着脱装置を提供する。【解決手段】手袋支持部２は、指被い部を着装口部ｅ３よりも下方に位置した状態で手袋１０１の着装口部ｅ３の外周面を受け、上方から下降圧力を受けたときに、下方に移動して上方への付勢力を蓄える。抵抗付与部１０は、手袋の指先ｅ１の前後面を両側から挟み、手袋１０１の上方への移動を阻害可能とする。抵抗付与部１０は、さらに、手袋１０１が上方へ移動する際に手袋１０１の指先ｅ１を挟み込む間隔を狭めるように上方に向けて回動するフラップ１３と、フラップ１３を上方に付勢する弾性部材８とを有している。【選択図】図３
2015136419.tif 000002
【特許請求の範囲】
【請求項１】
指被い部を着装口部よりも下方に位置した状態で手袋の着装口部の外周面を受ける手袋支持部と、
前記指被い部に位置し、上方に向けて回動するフラップと、
前記フラップを上方に付勢する弾性部材とを有することを特徴とする手袋着脱装置。
【請求項２】
前記手袋支持部は、上方から下降圧力を受けたときに、下方に移動して上方への付勢力を蓄えるものであることを特徴とする請求項１記載の手袋着脱装置。
【請求項３】
前記フラップとの間で前記指被い部を挟み込む平面部を具備し、
前記フラップは、先端に支軸回りの回動を限定的に許容され、角部とこれに続く面部を有する稼動爪を具備し、
前記手袋が上方へ移動する際に稼動爪が回転し、前記面部と前記平面部との間で前記指被い部を挟み込むことを特徴とする請求項１記載の手袋着脱装置。
【発明の詳細な説明】
【技術分野】
【０００１】
本発明は、使用者の手袋を着脱可能にした手袋着脱装置である。
【背景技術】
【０００２】
バキュームポンプを作動させて手袋の外面に負圧を付与して膨張した状態とし、手を手袋の内方に挿入する手袋着脱装置が、例えば特許文献１及び２に開示されている。
着装された手袋を手から取り外すときは、手袋が着装された状態で挿入し、次にバキュームポンプを作動させ、手袋を着装する場合と同様に、手袋の大部分の外面に負圧を付与する。これにより手袋は膨張した状態となり、この状態で、手を手袋内から抜き出す。
また特許文献３には、手袋の開口をこれに手を挿入し得る大きさとなるように引き伸ばして開いた状態で手を挿入する装置が開示されている。
【先行技術文献】
【特許文献】
【０００３】
【特許文献１】特開平２─５３９０２号公報
【特許文献２】特開平５−２８７６０１号公報
【特許文献３】特開２００３−２３０５７０号公報
【発明の概要】
【発明が解決しようとする課題】
【０００４】
上記した特許文献１及び２に記載の手袋着脱装置は何れもバキュームポンプを必要とするため、構造が複雑で製造コストが嵩むと共に、バキュームポンプの作動時に騒音が生じるなどの不利益を有するものである。また特許文献３の装置は、動力を使用しない一方、手が使用できない状態において足で作動させるために装置が大型化する。
本発明は上述した実情の下に創案されたものであり、人為力のみの付与により手袋の着脱を実行でき、しかも構造簡易で騒音も大幅に減少させ得る手袋着脱装置を提供することを目的とするものである。
【課題を解決するための手段】
【０００５】
本発明に係る手袋着脱装置は、指被い部を着装口部よりも下方に位置した状態で手袋の着装口部の外周面を受ける手袋支持部と、前記指被い部に位置し、上方に向けて回動するフラップと、前記フラップを上方に付勢する弾性部材とを有することを特徴とする。
【発明の効果】
【０００６】
本発明によれば、手袋支持部により上方へ移動しようとする手袋の指先の前後面に対して、手袋の指先を挟み込む間隔を狭めるように上方に向けてフラップが回動するため、手袋は手袋着脱装置内に固定され、手だけが抜け出せるようになる。その際、手による手袋着脱装置への手袋の押し込み操作により処理が可能であるため、バキュームポンプ等の動力が不要であり、かつ装置の構造が簡易化することができる。
【図面の簡単な説明】
【０００７】
【図１】本発明の一実施例である手袋着脱装置の正面図である。
【図２】手袋着脱装置の平面図である。
【図３】手袋着脱装置の左側面図である。
【図４】手袋着脱装置の下部を左側から見た拡大断面図である。
【図５】手袋着脱装置の手袋支持部周辺を左側から見た拡大断面図である。
【図６】手袋着脱装置の手袋支持部を変形した状態を示す左側面図である。
【図７】可動フラップの分解図である。
【図８】可動フラップを左側から見た拡大側面図である。
【図９】手袋着脱装置により取り扱われる手袋を示す図である。
【図１０】手袋着脱装置の使用説明図である。
【発明を実施するための形態】
【０００８】
以下、本発明に係る手袋着脱装置の一実施例について、図面を参照して詳細に説明する。
図１〜図３に示すように、手袋着脱装置１００は、直方体状の本体部１と、この本体部１の上側に装設された手袋支持部２とを備えている。
本体部１は側周面３と底面４を平板により包囲されており、上面５は中央位置に第一の透孔ａ１（外周形状が図２中に点線イで表示されている。）を形成された平板で覆われている。透孔ａ１は図示例では外周形状を歪み楕円形である。また本体部１は側面３と底面４で下部を液密状に形成するのがよく、このようにすれば手袋から落下した液状汚物が本体部１の外方へ流出するのを防止できる。
【０００９】
側周面３は前側周面３ａ、後側周面３ｂ、左側周面３ｃ及び右側周面３ｄで形成されており、側周面３ａ、３ｂ、３ｃ、３ｄには本体部１の内方のほぼ全域を前後左右から透視できるように透視部ｄ１を仮想線で囲まれた範囲内に形成するのが好ましい。
上面５には透孔ａ１が設けられ、その外周縁にはゴム材又は樹脂材などで形成された環状覆い部材７が被着されている。上面５の左端寄り内側には弾性部材８の上端を掛け止めるためのフック部材９が固着されている。
【００１０】
手袋支持部２は、２本の支持棒１６、１６は水平状且つ平行状に配置されており、その長さは２００ｍｍ程度である。それぞれの支持棒１６の左右端部にはスペーサー１９が配置され、４個のスペーサー１９上に天板１５が配置されている。
【００１１】
各柱状伸縮体１７は、下部をこれの下面に突設された雄ネジ１７ａにナットを螺着することにより本体部１の上面５に起立状に固定された案内部材２０と、これに上下変位可能に保持された被案内部材２１と、案内部材２０内に配置され被案内部材２１を常に上方へ付勢する圧縮状のスプリング２２とを備えている。各柱状伸縮体１７の被案内部材２１の上端部は支持棒１６の対応箇所を支持しており、天板１５の上側から被案内部材２１の上端部の雌ネジにねじ込まれる雄ネジ２３により天板１５、スペーサー１９及び支持棒１６に一体状に結合されている。
【００１２】
ここで、４本の雄ネジ２３を一時的に取り外し、天板１５及び全てのスペーサー１９を除去した後、再びこれらの雄ネジ部材２３を被案内部材２１の上端部の雌ネジにねじ込むことにより、２本の支持棒１６、１６を天板１５及びスペーサー１９の存在しない状態で４本の被案内部材２１の上端部に一体状に結合させて支持棒１６として使用することも差し支えない。この場合、着装口部ｅ３の外周面は一端部を一方の支持棒１６により受け止められ、他端部を他方の支持棒１６により受け止められる。図６はこのような構造とした手袋支持部２を示している。
【００１３】
図４を参照し、本体部１の内部には、手袋支持部２に受け止められた手袋１０１の指先の前後面を両側から挟み上方移動を阻害可能とする抵抗付与部１０が形成されている。抵抗付与部１０は、手袋保持板１１、稼動爪１２を保持したフラップ１３、弾性部材８及びストッパー１４を具備している。
【００１４】
手袋保持板１１は平板材を屈曲して形成したもので、水平面部１１ａ、傾斜平面部１１ｂ及び起立状の平面部１１ｃを前後方向ｃ１へ連続した状態で形成されている。手袋保持板１１は左右方向ｃ２の各端縁部１１ｄを直角に折り曲げられてこの端縁部１１ｄをその対応する左右の側周面３ｃ、３ｄに当接され、ボルト或いはビスなどにより固定されている。
傾斜平面部１１ｂは、水平面に対する傾斜角θ１が凡そ３５度、また第二傾斜面平面部１１ｃは傾斜平面部１１ｂとの挟角θ２を凡そ１３８度である。したがって起立状の平面部１１ｃは水平面に対しその傾斜角θ３が凡そ７７度になっている。平面部１１ｃは下端縁を本体部１の前後方向ｃ１において、透孔ａ１の中心よりも数ミリ程度左側に位置されている。この平面部１１ｃの後面が手袋１０１の指被い部の指先ｅ１（図９）の手甲側を当接される箇所となる。
【００１５】
手袋保持板１１に対応してフラップ１３が配置されている。このフラップ１３は図７Ａに示すように平板を屈曲して形成され、左右の側縁部１３ａ、１３ｂを直角に折り曲げられることにより全体の剛性を付与され、平面部１３ｃを左右の側縁部１３ａ、１３ｂ間の間に有している。平面部１３ｃの前側の左右端部には回動制限部材２４、２４を前後方向ｃ１の位置調整可能に装着するための長孔ｆ１、ｆ１が形成され、また平面部１３ｃの後端部には本体部１の後側周面３ｃに２つのヒンジ２５、２５（図１参照）を介して揺動可能に係着するための４つの透孔ｆ２が形成されている。そして左右の側縁部１３ａ、１３ｂの前端部は平面部１３ｃよりも前側へ張り出されており、このように張り出された部位に稼動爪１２を装着するための透孔ｇ１が形成されている。フラップ１３は本体部１内において平面部１３ｃが底面４に平行で前下がりとなる傾斜状に配置され、平面部１３ｃの前端箇所を本体部１の前側周面３ａに取り付けられた左右一対のヒンジ２５、２５に透孔ｆ２、ｆ２を介しネジ止めされ、ヒンジ２５、２５の左右向き軸２５ａ回りへ揺動自在となるように装着されている。
【００１６】
本体部１の左右の側周面３ｃ、３ｄにはフラップ１３の上側への揺動を制限するためのストッパー１４、１４が設けられており、またフラップ１３を上方へ揺動させる付勢力を付与するために、フラップ１３の平面部１３ｃの左端縁に形成された係止箇所ｈ１（図７参照）には伸張状態の弾性部材８の下端が掛け止められている。弾性部材８はフラップ１３を手袋保持板１１に向けて間隔が狭まるように引き上げる。フラップ１３は外力の付与されない状態では図４中に示すようにストッパー１４に圧接して上方への揺動を係止された姿勢を維持している。
【００１７】
フラップ１３の先端に設けられる稼動爪１２は、図８に示すように断面形状に角部Ｑとそれに続く面部Ｐを有する棒状体であり、その中心に左右向きの横向き支軸２７を有している。本例では市販されている大小２つの四角筒部材２６ａ、２６ｂを内外に積層し、中心位置に横向き支軸２７を挿入して一体状に固着した。稼動爪１２はフラップ１３の左右の側縁部１３ａ、１３ｂの前端部間に位置され、横向き支軸２７の左右端を左右の側縁部１３ａ、１３ｂの透孔ｇ１、ｇ１内に回動自在なように嵌挿される。稼動爪１２は左右の側縁部１３ａ、１３ｂ間のほぼ全範囲に及ぶ長さを有し、断面における四角形の一辺の長さは例えば１３ｍｍである。そして四角棒状部２５の最も外側の外周面には手袋１０１に対する滑りを抑制するためゴム材又は樹脂材や、表面の荒いサンドペーパなどが薄層状に被着されている。
【００１８】
フラップ１３の平面部１３ｃの左右端部には稼動爪１２の横向き支軸２７回りの回動を制限するための回動制限部材２４、２４が図７Ａ及び図８に示すように長孔ｆ１及びこれに挿通されるネジ具２４ａを介して前後方向ｃ１への位置変更調整可能に固定されている。図示例では、回動制限部材２４は鈎状に屈曲された板部材であり、これの前後位置調整により稼動爪１２の回動可能な角度範囲が四角棒状部２６の外周形状との関係により９０度範囲内の任意大きさに設定され得るものとなっている。この回動制限部材２４の固定位置が後側へ移動される量が大きくなるに従って、稼動爪１２は回動制限部材２４から離れてその回動可能量は大きくなる。稼動爪１２の回動範囲の矢印方向ｉ１側の制限位置は図４に示すようにフラップ１３がストッパー１４、１４により上方への揺動を規制された状態にあるとき、その稼動爪１２の角部が、手袋保持板１１の起立状の平面部１１ｃ側に対して向き合う状態とする。この位置に到達したときの稼動爪１２と平面部１１ｃとの最小離間距離は、手袋１０１の指被い部ｅ１が平面部１１ｃと稼動爪１２とで挟圧され得る最大の大きさを超えないようにしておく。一方、回動制限部材２４は、平面部１３ｃの面に対して稼動爪１２を矢印方向ｉ１へ凡そ２０度の回動を許容し、一方、矢印方向ｉ１の反対側へは３５度の回動を許容する（図８）。したがって全体としての回動可能な角度範囲は凡そ５５度程度となる。
【００１９】
次に上記手袋着脱装置１００に対し使用される手袋１０１について図９を参照して説明する。図９は手袋１０１を示し、Ａは一部を断面で示した正面図でＢは側面図である。
手袋１０１は、厚手のゴム手袋である。手袋１０１の着装口部ｅ３には、樹脂製の補強環ｅ２が嵌着されており、天板１５の透孔ａ３の外周縁に受け止められる大きさに開いた状態に設定される。
【００２０】
なお、手袋１０１の素材は使用目的によって決定されるもので、ゴム材、合成樹脂材或いは布など任意なもので差し支えないのであり、また補強環ｅ２として金属環を使用することも任意である。
【００２１】
次に手袋着脱装置１０１の使用例及び各部の作用について説明する。図１０は手袋着脱装置１００の使用例を示す説明図である。
まず、手袋１０１を手は嵌めた状態で、手袋支持部２の上方から天板１５の透孔ａ３内に着装口部ｅ３が上側となる姿勢で挿入する。着装口部ｅ３の外周面は、透孔ａ３の外周縁に受け止められる（図１０Ａ）。
【００２２】
さらに、手袋１０１に対して下降圧力を付与して挿し入れると、手袋支持部２が降下して手袋１０１の指被い部の指先ｅ１が手袋保持板１１の起立状の平面部１１ｃとフラップ１３との間に差し込まれる。この差込みの動作は平面部１１ｃを押し広げる動作であるため容易に行える。この差込み動作により、稼動爪１２は手袋１０１内の手指により下方へ押し下げられることにより、フラップ１３と一緒に左右向き軸２５ａ回りの下方へ揺動される（図１０Ｂ）。一方、この際に、手袋支持部２のスプリング２２には、下方に移動して上方への付勢力が蓄えられる。
【００２３】
さらに、手袋１０１を挿し入れると、手袋支持部２が降下して手袋１０１の指被い部の指先ｅ１が稼動爪１２の角部Ｑを越えた位置まで下降する（図１０Ｃ）。
図１０Ｃに示す状態に達した後に、手袋１０１に挿入されている手指を大きく折り曲げることなく上方へ引き上げるようにする。手袋支持部２のスプリング２２による引き上げ力により手袋１０１が引き上げられ、これによりフラップ１３は弾性部材８の引張力により左右向き軸２５ａ回りに平面部１１ｃとの間隔を狭めるように回転する。稼動爪１２の角部Ｑは手袋保持板１１の起立状の平面部１１ｃにより後側への移動を規制された手袋１０１の指被い部の指先ｅ１に当接した状態で次第にこの平面部１１ｃに近接する。また、稼動爪１２は、支軸２７回りに回転し角部Ｑに続く面部Ｐが、手袋１０１の指被い部の指先ｅ１を平面部１１ｃとの間で面同士により挟み込んで圧接する（図１０Ｄ）。尚、手の指先は指被い部の指先ｅ１の先端に詰まっているわけではなく、脱出できる自由度があるため、手の指先までもが挟み込まれることは無い。
【００２４】
手袋１０１は、手袋支持部２のスプリング２２により引き上げ方向に付勢された状態であり、稼動爪１２と平面部１１ｃの間隔は狭める方向に作用するため、摩擦力はさらに増大する。手袋支持部２の引き上げ力と手袋１０１の反作用とがバランスしたとき回動を規制される。この状態の下で、手袋１０１内の手指は手袋１０１内から円滑に抜き出されるようになる。図１０Ｃはこのときの様子を示している。
【００２５】
取り外された手袋１０１は着装口部ｅ３の外周面を手袋支持部２に支持され、指被い部の指先ｅ１を弾性部材８の弾力及び手袋１０１自体の弾性により手袋保持板１１の平面部１１ｃとフラップ１３とで挟持された状態に維持される。
【００２６】
図１０Ｃに示すように手袋着脱装置１００上に残されている手袋１０１を着用する際は、この手袋１０１に着装口部ｅ３を通じて手指を挿入する。この場合、手袋１０１の指被い部内の指先ｅ１に至る途中まで手指を挿入した時点で、その手指により稼動爪１２やフラップ１３を左右向き軸２５ａ回りの下方へ揺動させ、平面部１１ｃと稼動爪１２とを手指の大きさに対し十分な距離だけ離間させる。この離間状態下で手指を指被い部内の指先ｅ１まで押し込むと同時に、手袋１０１内の手指で稼動爪１２及びフラップ１３を下方揺動させた状態を一時的に保持させておき、手袋１０１及びこれに挿入された手指を天板１５の上方へ引き上げる。このさい手袋１０１は平面部１１ｃに手袋１０１の背が当らないように引き上げれば、平面部１１ｃと稼動爪１２に挟圧されずに大きな抵抗を付与されることから免れる。手袋をその外面に手を触れることなく着装した状態で、手袋着脱装置１００から取り出せる。
【００２７】
本実施例によれば、着装口部ｅ３は手袋支持部２に蓄えられた上向きの付勢力により、引き上げ状態となっている。一方、手袋１０１の指被い部内の指先ｅ１はフラップ１３と手袋保持板１１により挟みこまれている。この状態において、手袋１０１が引き上げられれば引き上げられるほど、は左右向き軸２５ａ回りに、指先ｅ１を手袋保持板１１との間でさらに挟み込むように回動するため、手袋１０１が固定され手を抜きやすくなる。
【００２８】
さらに、本実施例によれば、稼動爪１２の角部Ｑが手袋１０１に当接して回転し、角部Ｑに続く面部Ｐと平面部１１ｃとにより、手袋１０１の指被い部の指先ｅ１を面により挟み込んで圧接するため、手袋１０１にグリース等の油汚れが付着していても、確実に挟み込むことが出来る。尚、稼動爪１２の角部Ｑは鋭角である必要はなく、指先ｅ１が引っ掛かるきっかけを生じさせるものでよい。例えば、面取りがされていても良い。
【００２９】
上記実施例では手袋保持板１１は本体部１内で固定状態とされているが、これに限定するものではなく、フラップ１３に準じて許容範囲内で揺動させても良い。またフラップ１３のヒンジ２５は後側周面３ｄに固定しないで、例えば上面５の内面前部に固定しても良い。また、上記実施例では、手袋支持部２のスプリング２２による引き上げ力を利用したが、フラップ１３が弾性部材８に付与された力のみによっても、指被い部内の指先ｅ１をフラップ１３と手袋保持板１１により挟みこむことができる。
【００３０】
また透孔ａ１、ａ３は歪み楕円形としないで、円形とすることも差し支えないのであり、この場合は手袋１０１の着装口部ｅ３の形態もこれに適応させる。
また上記実施例では右手用の手袋１０１を着脱する場合について説明したが、左手用の手袋１０１であってもこれの向きを変えて手袋支持部２に支持させることにより手袋着脱装置１００により同様に着脱することができる。また左右の手袋１０１、１０１を同時に着脱したい場合は手袋着脱装置１００を２台用意し、左右に配置して使用することにより対応できる。
【符号の説明】
【００３１】
１００  手袋着脱装置。
１０１  手袋
２  手袋支持部
１０  抵抗付与部
１１  手袋保持板
１１ｃ  平面部
１２  稼動爪
１３  フラップ
１５  天板
１７  伸縮保持部
ａ１、ａ３  透孔
【図１】
2015136419.tif 000003
【図２】
2015136419.tif 000004
【図３】
2015136419.tif 000005
【図４】
2015136419.tif 000006
【図５】
2015136419.tif 000007
【図６】
2015136419.tif 000008
【図７】
2015136419.tif 000009
【図８】
2015136419.tif 000010
【図９】
2015136419.tif 000011
【図１０】
2015136419.tif 000012